(57)【要約】      （修正有）【課題】皮膚全般（とりわけ顔面）および毛髪の保水性を高めるトリートメント装置およびトリートメント方法の提供。【解決手段】トリートメント装置は、１）水槽１内に薬液槽３があり、水槽１の底部に超音波発生機７を設ける、２）該超音波発生機から出射した超音波（矢印ａ）は薬液面４に到達し、薬液の超微細ミスト（ナノミスト８）が発生する、３）送風機９から送られる風に乗せられてナノミスト８がミスト噴出口１３から噴出してミスト噴流１４を形成するものである。トリートメント方法は、薬液としてγ−ＰＧＡ（ガンマ−ポリグルタミン酸）を含むものであり、該装置を用いることによって、皮膚や毛髪への浸透力が大きくなり、保水性が著しく向上する。【選択図】図１
2007125316.tif 000002
【特許請求の範囲】
【請求項１】
水槽の底部に超音波発生機が設けられるとともに、該水槽の底面から離間させて薬液槽が設置されていて、
上記の超音波発生機から放射された超音波が水槽内の水、および薬液槽の底部、並びに薬液槽内の薬液を通って薬液面に到達し得るようになっており、
超音波を受けた薬液面から発生する超微細ミストを導く管と、該管の先端に設けられたミスト噴出口とを具備していることを特徴とする、スキン，ヘアー・トリートメントスパ装置。
【請求項２】
前記薬液槽の底壁に開口が設けられており、かつ、該開口が薄いシートで覆われていることを特徴とする、請求項１に記載したスキン，ヘアー・トリートメントスパ装置。
【請求項３】
前記の超音波発生機よび水槽を収納するケースが設けられ、
かつ、前記の超微細ミストを導く管が上記のケースに対してアーム状に、傾動可能に装着されていることを特徴とする、請求項１または請求項２に記載したスキン，ヘアー・トリートメントスパ装置。
【請求項４】
前記ミスト噴出口の付近にカラー光源が設けられていて、該カラー光源から放射される光束がミストで散乱され、ミストの噴出流が外観的に着色されるようになっていることを特徴とする、請求項１ないし請求項３の何れかに記載したスキン，ヘアー・トリートメントスパ装置。
【請求項５】
ガンマ−ポリグルタミン酸を含有する薬液の液面に、薬液内部から超音波を投射して、粒径寸法１ミリメートル未満の超微粒ミストを発生させ、
上記の超微粒ミストを気流に乗せて導き、ミスト噴流１４として顔面の皮膚に当てることにより、皮膚の保水性を向上せしめて滑らかにすることを特徴とする、スキン・トリートメント方法。
【請求項６】
ガンマ−ポリグルタミン酸を含有する薬液の液面に、薬液内部から超音波を照射して、粒径寸法１ミリメートル未満の超微粒ミストを発生させ、
上記の超微粒ミストを気流に乗せて導き、ミスト噴流として毛髪に当てることにより、該毛髪の保水性を向上せしめて、毛髪に潤いともに光沢とを与え、かつ滑らかならしめることを特徴とする、ヘアー・トリートメント方法。
【請求項７】
前記ミスト噴流の噴出口付近にカラー光源を設けて有色光を投射し、ミスト噴流の外観に色彩を与えることにより、心理的にスキン，ヘアー・トリートメント効果を印象づけることを特徴とする、請求項５または請求項６に記載したスキンまたはヘアーのトリートメント方法。
【発明の詳細な説明】
【技術分野】
【０００１】
本発明は美容術におけるスキントリートメント（皮膚の手入れ。主として美顔）およびヘアートリートメント（毛髪の手入れ）に係り、特殊な薬液のナノミスト（ナノメートルオーダーの超微細粒子）を用いて皮膚を潤わせて滑らかにしたり、髪を艶やかで柔らかく櫛通りの良い状態に整えたりする技術に関するものである。
【背景技術】
【０００２】
肌を美麗にする技術として、例えば特開２００５−４４４号公報に記載されているように、放電管からの放電エネルギーを収束させて肌面接触用電極に供給するものや、特開２００４−３２１０９５号公報に記載されているように、ヒアルロン酸に卵殻膜を配合した飲食品組成物が公知である。
また、台湾の発酵食品メーカーである味丹は、美肌に卓効を奏するガンマ−ポリグルタミン酸（γ−ＰＧＡ）を開発して２００３年度バイオテクノロジー金賞を受賞している。
化粧品ないし肌の栄養剤としてのγーＰＧＡが優れていることは公知であり、この薬剤を含むクリーム剤を塗布することは広く行われている。
【０００３】
上記のγ−ＰＧＡを物理的療法と組み合わせることにより皮膚の内部まで速やかに浸透させて実効を挙げる技術として、『γ−ＰＧＡを含む薬液中に手を入れておき、この薬液中に微細な気泡を吹き込んで、該気泡が破裂する際の超音波によって薬液の有効成分を皮膚の深部まで浸透させる方法、及び同装置』が開発されている。
上記の技術は、本発明者が創作し本出願人によって別途出願中の発明（以下、未公知の先願に係る発明という）。
【特許文献１】特開２００５−４７９２０号公報
【特許文献２】特開２００３−２６８２３７号公報
【特許文献３】特開２００３−１２４８７号公報
【発明の開示】
【発明が解決しようとする課題】
【０００４】
前記各種の先行技術中で、ガンマ−ポリグルタミン酸（以下、γ−ＰＧＡと略記する）
を用いる方法は最も効果的である。
しかし、美肌施療の対象である皮膚を薬液中に浸さねばならないので、これを顔面その他に適用することは容易でない。
不可能ではないにしても、設備が大掛かりになって取り扱いにくい。さらに顔面を薬液中に浸している間、呼吸をどうするかという難問が伴う。
【０００５】
本発明は以上に述べた事情に鑑みて為されたものであって、その目的とするところは、
顔面、毛髪その他、身体の各部に適用することが容易かつ安全であり、装置が小形軽量で、しかもγ−ＰＧＡの薬効を十分に発揮し得る方法、および、上記の方法を実施するに好適な装置を提供するにある。
【課題を解決するための手段】
【０００６】
上記の目的を達成するために創作した本発明の基本的な原理について、その１実施形態に対応する図１を参照して略述すると次の通りである。
水槽１の中には水が入れられており、その中に薬液槽３が設置され、γ−ＰＧＡを含む薬液が入っている。前記水槽１の底部に設けられている超音波発生機７から矢印ａのように超音波を放射すると、薬液面４が激しく微小に波立って、超微細な（ナノメートルオーダー、例えば粒径５００ｎｍ）ミスト８（以下、ナノミストという）が発生する。
このとき、通常の超音波よりも周波数の高い超音波を放射することによって、ナノミストの発生が可能となる。
送風機９で風を送り（矢印ａ、ｂ）この風にナノミスト８を乗せて矢印ｄのようにアーム管１２を経てミスト噴出口１３からミスト噴流１４として噴出させる。このミスト噴流を顔に当てれば美顔効果が得られ、髪に当てれば髪が艶やかで柔らかく櫛通りの良い状態に整えられる。
【０００７】
上述の原理に基づく具体的な構成として請求項１の発明に係るスキン，ヘアー・トリートメントスパ装置は、
（図１参照）水槽（１）の底部に超音波発生機（７）が設けられるとともに、該水槽の底面から離間させて薬液槽（３）が設置されていて、
上記超音波発生機（７）から放射された超音波が水槽内の水、薬液槽の底部、および薬液槽内の薬液を通って薬液面（４）に到達し得るようになっており、
超音波を受けた薬液面から発生する超微細ミストを導く管（１２）と、該管の先端に設けられたミスト噴出口（１３）とを具備していることを特徴とする。
【０００８】
請求項２の発明に係るスキン，ヘアー・トリートメントスパ装置の構成は、前記請求項１の発明装置の構成要件に加えて、
（図２参照）前記薬液槽（３）の底壁に開口（１６）が設けられており、かつ、該開口が薄いシート（１７）で覆われていることを特徴とする。
【０００９】
請求項３の発明に係るスキン，ヘアー・トリートメントスパ装置の構成は、前記請求項１または請求項２の発明装置の構成要件に加えて、
（図１参照）前記の超音波発生機（７）および水槽（１）を収納するケース（図３参照、符号１８）が設けられ、
かつ、前記の超微細ミストを導く管（１２）が上記のケース（１８）に対してアーム状に、傾動可能に装着されていることを特徴とする。
【００１０】
請求項４の発明に係るスキン，ヘアー・トリートメントスパ装置の構成は、前記請求項１ないし請求項３の発明装置の構成要件に加えて、
（図１参照）前記ミスト噴出口（１３）の付近にカラー光源（１５）が設けられていて、該カラー光源から放射される光束がミスト噴流（１４）で散乱され、該ミスト噴出流が外観的に着色されるようになっていることを特徴とする。
【００１１】
請求項５の発明に係るスキン・トリートメント方法の構成は、
ガンマ−ポリグルタミン酸を含有する薬液の液面に、薬液内部から超音波を照射して、粒径寸法１ミリメートル未満の超微粒ミストを発生させ、
上記の超微粒ミストを気流に乗せて導き、ミスト噴流１４として顔面の皮膚に当てることにより、皮膚の保水性を向上せしめて滑らかにすることを特徴とする。
【００１２】
請求項６の発明に係るヘアー，トリートメント方法の構成は、
ガンマ−ポリグルタミン酸を含有する薬液の液面に、薬液内部から超音波を照射して、粒径寸法１ミリメートル未満の超微粒ミストを発生させ、
上記の超微粒ミストを気流に乗せて導き、ミスト噴流として毛髪に当てることにより、該毛髪の保水性を向上せしめて、毛髪に潤いとともに光沢とを与え、かつ滑らかならしめることを特徴とする。
【００１３】
請求項７の発明に係るスキンまたはヘアーのトリートメント方法の構成は、前記請求項５または請求項６の発明方法の構成要件に加えて、
（図１、図２参照）ミスト噴流（１４）の噴出口（１３）付近にカラー光源（１５）を設けて有色光を投射し、ミスト噴流の外観に色彩を与えることにより、心理的にスキン，ヘアー・トリートメント効果を印象づけることを特徴とする。
【発明の効果】
【００１４】
請求項１の発明装置を適用すると、薬剤（例えばγ−ＰＧＡ）を含む薬液が超音波によってナノミストとなり、所望の箇所へ吹き付けられるので、薬剤の有効成分が皮膚の深部、または毛髪のキューティクル内部まで浸透して保水性を高め、薬剤効果を十分に発揮させることができる。
【００１５】
請求項２の発明装置を、前記請求項１の発明装置に併せて適用すると、薬液槽を取り扱い易いように適宜の肉厚に構成しても、超音波は開口を通って薬液内に進行し得る。
上記の開口は薄シートで覆われているので薬液と水とが明確に区画され、両者が混合したり薬液が漏れたりする虞れが無い。
しかも超音波は薄シートを通るので、ほとんど減衰しない。
【００１６】
請求項３の発明装置前記請求項１または請求項２の発明装置に併せて適用すると、超音波発生機および水槽がケース内に収納されているので、取り扱いが容易であり、水や薬液が零れ出る心配が無い。また上記のケースは内部の構成機器を覆って、障害物の衝突を防止している。
そして、外観が簡素になり、意匠的な工夫を凝らして商品価値を高めることが可能になる。
さらに、超微細ミストを導く管が前記のケースに対してアーム状に、傾動可能に装着されているので、ケースを動かさずに超微細ミストの噴出口を所望の位置、方向にすることができて好都合である。
【００１７】
請求項４の発明装置を前記請求項１ないし請求項３の発明装置に併せて適用すると、
ミスト噴出口の付近にカラー光源が設けられてるので、該カラー光源から放射される光束がミスト噴流で散乱され、該ミスト噴出流が外観的に着色される
これにより、薬液ミストで施療を受けるクライアントは精神的緊張を解されてリラックスすることができる。その上、薬液ミストの施療に対する信頼感が生まれて施療効果が高められる。
【００１８】
請求項５の発明方法を適用すると、超音波の作用で、γ−ＰＧＡを含有する薬液の液面から超微粒ミストが発生し、この超微粒ミストを気流に乗せて顔面の皮膚に当てることにより、皮膚の保水性が向上して滑らかになる。
特に、前記のミストが粒径サブミクロンの超微粒であるから、皮膚に対する浸透性が高く、薬液が皮膚の深部まで浸透して、γ−ＰＧＡの薬効が充分に発揮される。
【００１９】
請求項６の発明方法を適用すると、超音波の作用で、γ−ＰＧＡを含有する薬液の液面から超微粒ミストが発生し、この超微粒ミストを気流に乗せて毛髪に当てることにより、キューティクル内部の保水性が向上して髪が滑らかになり、毛髪に潤いと光沢とを与え、かつ滑らかならしめる。
特に、前記のミストが粒径サブミクロンの超微粒であるから、毛髪に対する浸透性が高く、薬液が深部まで浸透して、γ−ＰＧＡの薬効が充分に発揮される。
毛髪の保水性を向上せしめて、毛髪に潤いともに光沢とを与え、かつ滑らかならしめる。
【００２０】
請求項７の発明方法を、前記請求項５または請求項６の発明方法と併せて適用すると、
ミスト噴出口の付近に設けられたカラー光源からカラー光束が投射され、ミスト噴流で散乱されてナノミスト噴出流が着色されるので、施療を受けるクライアントが精神的緊張を解されてリラックスする。その上、薬液ミストの施療に対する信頼感が生まれて施療効果が高められる。
【発明を実施するための最良の形態】
【００２１】
図１は、本発明装置の１実施形態における機能的構成部分を抽出して描いた模式的な断面図である。
水槽１の中には水が入れられている。符号２はその水面である。この水面に底部を浸して薬液槽３が着脱可能に設置されている。符号５は薬液槽蓋であり、符号６は水槽の蓋である。
前記水槽１の底壁に、１６３万ないし２４０万サイクルの極超音波を発生する超音波発生機７が設置されている。本例における超音波発生機の設置個数は２個であるが、本発明を実施する場合、超音波発生機の設置個数は任意に設定することができる。
【００２２】
前記薬液槽３の中に、γ−ＰＧＡを主剤とする薬液が入れられている。符号４は薬液面である。
前記の超音波発生機７を作動させると、発生した超音波が矢印ａのように水中を伝播し、薬液槽３の底壁を通って、薬液内を伝播して薬液面４に到達する。
縦波（粗密波）である超音波がほぼ上向きに到達するので、液面付近の薬液は上下に激しく振動して波立ち、微粒子化してナノミスト８が発生する。
【００２３】
前記水槽１の下方に送風機９が設置されていて、大気を吸入して矢印ｂのように吐出する。吐出された空気流は、送風管１０に導かれて矢印ｃのように薬液槽３内へ吹き込まれる。
前記薬液槽３に対して、管１２がアーム状に回動可能に接続連通されていて、その先端にミスト噴出口１３が形成されている。薬液面４から発生したナノミストは空気流に乗って、矢印ｄ方向へ流れ、ミスト噴出口１３から噴出（矢印ｅ）してミスト噴流１４を形成する。
【００２４】
前記薬液槽３の詳細な構成については図２を参照して後に詳しく説明するが、水槽１に対して着脱可能に装着されている。
薬液槽３内の薬液はミストになって出て行くので、その量が次第に減少する。上述のように薬液槽３が着脱可能であれば、持ち運んで薬液を調合するに好都合である。
本実施形態のスキン及び又はヘアーのトリートメントスパ装置においては、薬液槽３の容量に適合する分量の薬剤がパックされ、若しくは瓶詰めして供給するように準備されている。
【００２５】
本図１においては、水槽１内の水面２と薬液槽３内の薬液面４とがほぼ等しい状態が描かれている。
このスキン及び又はヘアーのトリートメントスパ装置を使用するに伴い、薬液面４は次第に低下してゆくが、水面２はあまり変わらない。しかし水槽内の水は、超音波を伝播させる媒体として重要な役割を受け持っているので、水面が常に薬液槽３の底面よりも上方に位置しているように配慮しなければならない。
【００２６】
前記ミスト噴出口１３の付近にカラー光源１５が設けられている。本例においては、赤色発光ダイオード（ＬＥＤ）と緑色発光ダイオードとを設け、任意に選択して点滅できるようになっている。
有色の光を照射されたナノミストは光束を散乱させ、あたかもナノミストが発光しているような外観を呈する。本例では、ミスト噴流１４を赤色または緑色の任意の色彩に輝かせることができる。
【００２７】
本発明を実施する場合、カラー光源の色調数は赤，緑の２色に限られるものではなく、例えば赤，緑，青の３原色のカラー光源を設けて３色を使い分け、又は、更にこれらの原色を混合させて各種の色調に輝かせることも可能である。
光源の色調を変えるだけでなく、光源を点滅させることもできる。このような応用例によって、本発明装置の使用形態が多様になる。
【００２８】
用法の一例として、本実施形態では次のように使い分けている。
ａ）γ−ＰＧＡの外に、細胞を活性化する薬剤や血行を良くして代謝を高める薬剤を調合してトリートメンントするときは赤色に輝かせ、
ｂ）γ−ＰＧＡの外に、肌の水分・油分のバランスを整える薬剤や沈静化させる薬剤を調合してトリートメンントするときは緑色に輝かせる。
このような心くばりはクライアントをリラックスさせるとともに、ナノミスト施療に対する信頼感を深からしめる。
【００２９】
図２は、前記薬液槽３の拡大詳細図である。その本体部分は合成樹脂で成形され、取り扱い易いように適宜の肉厚を有している。その底壁に２個の開口１６が設けられるとともに、薄シート１７が一体に成形されて該開口を覆っている。
このような構成であるから、薬液槽３に薬液を入れて持ち運ぶことも容易である。
（図１と図２とを併せて参照）超音波は薄シート１７を経て伝播するので、ほとんど減衰することなく薬液内へ進行することができる。
【００３０】
図３は、前掲の図１に示した実施形態に係るスキン及び又はヘアーのトリートメントスパ装置を使用している状態を描いた全体的な斜視図である。
ケース１８の中に、図１の構成部分が収納されている。ただし、図１に描かれている構成部材中、アーム管１２及びこれに付属する部材は、ケース外に出ている。
本例においては、キャスター付きのスタンド１９にケース１８が載せられている。
スタンド１９を動かしたりアーム管１２を傾動させたりして、ミスト噴出口１３を適宜の箇所に位置せしめ、ミスト噴流１４を毛髪に当て、若しくは顔面に当てる。図示を省略するが、本発明に係るスキントリートメントは顔面に限られるものではなく、全身美容に適用することができる。
【００３１】
本発明装置の実用的効果の一つは、美容サロンにおける人手不足の解消である。
すなわち、従来例のトリートメント手段に比しての特徴は、図３に示されているようなトリートメンントを継続しつつ、施術者（美容師，美顔師）がクライアントから離れることができる。具体的には次のごとくである。
熟練した施術者（美容師，美顔師）がクライアントの肌や髪の状態を詳細に調べ、かつクライアントと充分にカウンセリングした上で、薬剤を調合し、ミスト吹き付け時間を定めてトリートメンントを開始し（図３の状態）、設定時間が来るまでの間、見習い美容師，見習い美顔師にケアーを任せることができる。
昨今、単なる人手不足ではなく、高度技術者の不足に悩まされているのが当業界の実情であるから、上述のようにして高度技術者（当然、高給である）が受け持つクライアント数を増やし、これを見習技術者によって支障無く補い得るということは、人手不足の解消にきわめて有効である。また、本発明によるトリートメントスパ装置を顔面用とした場合、この装置は、フェイシャルスパ装置と呼ぶこともできる。
【図面の簡単な説明】
【００３２】
【図１】本発明装置の１実施形態における機能的構成部材を抽出して模式的に描いた断面図
【図２】（Ａ）は前掲の図１に描かれている薬液槽の拡大詳細断面図、（Ｂ）は本発明装着を使用している状態の全体的な斜視図
【図３】本発明装置を使用している状態の斜視図
【符号の説明】
【００３３】
１…水槽１
２…水面
３…薬液槽
４…薬液面
５…薬液槽蓋
６…水槽蓋
７…超音波発生機
８…ナノミスト 
９…送風機 
１０…送風管
１１…ミスト送出口
１２…アーム管
１３…ミスト噴出口
１４…ミスト噴流
１５…カラー光源
１６…開口
１７…薄シート
１８…ケース
１９…スタンド
【図１】
2007125316.tif 000003
【図２】
2007125316.tif 000004
【図３】
2007125316.tif 000005